(57)【要約】【課題】リモートコントローラによる情報端末の遠隔操作において、操作性に優れた遠隔操作システムを提供する。【解決手段】本発明の遠隔操作システムは、入力情報が入力される入力手段を有するリモートコントローラと、情報端末管理手段を有する情報端末とを備え、予め設定されたパターンで入力情報が入力手段に入力された場合に、入力情報をある特定の操作情報に変換してから、情報端末管理手段に通知する操作判定手段を有することを特徴とする。【選択図】図１
2011040810.tif 000002
【特許請求の範囲】
【請求項１】
入力情報が入力される入力手段を有するリモートコントローラと、
情報端末管理手段を有する情報端末と、
を備えた遠隔操作システムにおいて、
予め設定されたパターンで前記入力情報が前記入力手段に入力された場合に、前記入力情報をある特定の操作情報に変換してから、前記情報端末管理手段に通知する操作判定手段を有すること
を特徴とする遠隔操作システム。
【請求項２】
請求項１記載の遠隔操作システムにおいて、
前記情報端末管理手段に通知された前記操作情報を表示する表示手段を有すること
を特徴とする遠隔操作システム。
【請求項３】
請求項１または２記載の遠隔操作システムにおいて、
前記操作判定手段を前記リモートコントローラ側に設けること
を特徴とする遠隔操作システム。
【請求項４】
請求項３記載の遠隔操作システムにおいて、
前記表示手段を前記リモートコントローラ側に設けること
を特徴とする遠隔操作システム。
【請求項５】
請求項１乃至４のいずれか１項に記載の遠隔操作システムにおいて、
前記操作判定手段は、前記予め設定されたパターンの入力が途中で途絶えた場合に、初期状態に戻すためのタイマを有すること
を特徴とする遠隔操作システム。
【請求項６】
請求項１乃至５のいずれか１項に記載の遠隔操作システムにおいて、
前記操作判定手段は、前記入力情報をある特定の操作情報に変換する手順を記憶する記憶手段を有し、前記操作判定手段への通電の有無に関わらず、前記記憶手段の記憶状態を保持すること
を特徴とする遠隔操作システム。
【発明の詳細な説明】
【技術分野】
【０００１】
本発明は、遠隔操作システムに関し、特に、リモートコントローラによる情報端末の操作にて、キー数を少なくすることで、使用者の操作性を向上させる遠隔操作システムに関するものである。
【背景技術】
【０００２】
リモートコントローラで情報端末を操作する場合、情報端末の機能が増えるに従って、リモートコントローラのキー数が増加し、使用者の操作性を複雑化させていた。このため、スライドパッドやカーソルキーなどを追加して情報端末のメニュー表示と連動させることで、キー数を減らし多くの機能を実行できるようにしていた。
【０００３】
しかしながら、ある機能を実行するために、情報端末上のカーソルなどを確認しながら次の操作を行うなど実行したい機能にたどり着くまでに多くの手順が必要となってしまっていた。
【０００４】
本発明に関連する遠隔操作システムの一例が、特許文献１に記載されている。特許文献１に記載された発明は、情報端末を遠隔操作するためのリモートコントローラについて、ボタン数が増加し所望の操作をするためのボタンの発見に苦労を伴うこと、あるいは、所望の操作を行うためにボタンを押下する回数が増加することなど、リモートコントローラの操作の困難性を解決するために提案されたものである。
【先行技術文献】
【特許文献】
【０００５】
【特許文献１】特開２００５−１３６５１８
【発明の概要】
【発明が解決しようとする課題】
【０００６】
特許文献１に記載された発明は、操作性に優れた遠隔操作システムを提供するため、ユーザーキー設定ボタン等を用いて、所望の操作をするためのボタンを素早く発見することや所望の操作を行うためのボタン押下回数の低減を実行しようとしている。
【０００７】
しかしながら、ユーザーキー設定ボタンの場合、事前の設定が必要であり、そうした事前の設定では、設定に手間がかかることや設定操作の困難性が課題として生じる。
【０００８】
そこで、本発明の目的は、上述した課題を解決する遠隔操作システムを提供することにある。
【課題を解決するための手段】
【０００９】
本発明の遠隔操作システムは、入力情報が入力される入力手段を有するリモートコントローラと、情報端末管理手段を有する情報端末とを備え、予め設定されたパターンで入力情報が入力手段に入力された場合に、入力情報をある特定の操作情報に変換してから、情報端末管理手段に通知する操作判定手段を有することを特徴とする。
【発明の効果】
【００１０】
本発明は、多機能を有する情報端末を遠隔操作する際、少ないキー入力で簡潔に操作を行うことができるという効果を奏する。
【図面の簡単な説明】
【００１１】
【図１】本発明の遠隔操作システム（その１）の構成図である。
【図２】本発明の遠隔操作システム（その２）の構成図である。
【図３】本発明の実施形態を示した図である。
【図４】本発明の動作（カーソル入力のシーケンス）を示した図である。
【図５】本発明の動作（数字キー入力のシーケンス）を示した図である。
【図６】操作判定機構の状態遷移を示した図である。
【図７】本発明の遠隔操作システム（その３）の構成図である。
【図８】本発明の動作（操作アクション検出のシーケンス）を示した図である。
【発明を実施するための形態】
【００１２】
本発明の遠隔操作システムについて、図面を用いて詳細に説明する。図１は、本発明の遠隔操作システムに関する構成を示した図である。
【００１３】
図１に示したリモートコントローラ１００は、入力機構１０２、および信号発信機構１０３で構成される。また、同図に示した情報端末１０１は、信号受信機構１０４、操作判定機構１０５、情報端末管理機構１０６、および表示機構１０７で構成される。なお、各機構の詳細な説明は、図３にて行う。
【００１４】
図２は、本発明の遠隔操作システムに関する別の構成を示した図である。図２に示したリモートコントローラ２００は、入力機構２０２、信号発信機構２０３、操作判定機構２０５、および表示機構２０７で構成される。また、同図に示した情報端末２０１は、信号受信機構２０４、および情報端末管理機構２０６で構成される。なお、各機構の詳細な説明は、図３にて行う。
【００１５】
図３は、本発明の遠隔操作システムに関する実施形態の一例を示した図である。図３に示したリモートコントローラ３００は、入力機構としてのスライドパッド３０２、および信号発信機構としての赤外線ポート３０３で構成される。また、同図に示した情報端末３０１は、信号受信機構としての赤外線ポート３０４、受信した入力情報を操作情報に変換して出力する操作判定機構３０５、情報端末３０１を制御する情報端末管理機構３０６、および、表示機構としてのモニタ３０７で構成される。
【００１６】
操作判定機構３０５は、赤外線ポート３０４と情報端末管理機構３０６との間に位置しており、赤外線ポート３０４から受信した入力情報を基に、使用者の操作を判定する。判定した結果や判定状況を操作情報として情報端末管理機構３０６に通知する。なお、操作判定機構３０５は、フラッシュメモリなど通電状態でなくても、操作判定機構３０５の状態を保持するための記憶機能を備えており、入力情報に対して継続して変換を行うことが可能である。
【００１７】
情報端末管理機構３０６は、操作情報に個々の機能を割り当て情報端末装置の制御を行う。この時、モニタ３０７において、次の入力情報がどのような入力として扱われるかを入力待ち画面（１）３０８や入力待ち画面（２）３０９などに表示することで使用者に通知する。
【００１８】
次に、本発明の遠隔操作システムの動作について、図３，図４、図５、および図６を用いて説明する。図４は、カーソル入力のシーケンス、図５は、数字キー入力のシーケンス、図６は、操作判定機構の状態遷移を示している。使用者が、スライドパッド３０２を操作すると、位置情報がリモコン側赤外線ポート３０３から情報端末側赤外線ポート３０４を経由して操作判定機構３０５に通知される。操作判定機構３０５は、位置情報がスライドパッドの予め決められたエリア（実施形態では、９つのエリア）のどのエリアに入っているかを特定する。
【００１９】
例えば、９つのエリアの中上のエリアをエリア２とした場合、使用者が中上を押下すると位置情報（エリア２）が操作判定機構３０５に通知される（図４の４０１）。スライドパッド３０２を押下する位置がエリア２を外れない限り、操作判定機構３０５は、同じエリアが押されていると判断する（図４の４０２）。次に、３秒以内に位置情報が途絶えると、上矢印キーが押下されたことを示す操作情報を情報端末管理機構３０６に通知する（図４の４０３）。情報端末管理機構３０６は、上矢印が押下された場合の処理を実行、必要に応じて結果をモニタ３０７に表示する（図４の４０４）。
【００２０】
一方、３秒以上同じエリアを示す位置情報が通知された場合、操作判定機構３０５は、内部状態を数字キー入力状態に変更する（図５の５０３）。この時、操作判定機構３０５は、カーソル入力状態から数字キー入力状態に遷移する（図６の６０１）。状態が遷移した場合に、情報端末管理機構３０６に長押しされたことを通知することで、情報端末管理機構３０６は、使用者に数字入力待ちになったことをモニタ３０７に表示することができる（図５の５０５）。
【００２１】
実施形態では、エリア１を長押ししたことにより、数字キー入力にリモコン操作が変わったことを示す表示を行っている（図３の３０９）。長押しを行うことで、操作判定機構３０５への位置情報が途絶える（図５の５０２）。この後通知された位置情報は、操作判定機構３０５によって、エリアに対応した数字キー押下の操作情報に変更され情報端末管理機構３０６に通知される（図５の５０７）。この通知をもとに情報端末管理機構３０６は数字キーの入力に対応した処理を実行する（図５の５０８）。
【００２２】
実施形態では、長押しによって操作判定機構の状態を遷移させることにより、その後の位置情報を数字キー押下に変更する場合について記載したが、長押しだけでなく異なる位置情報の連続入力によって操作判定機構の状態を遷移させることもできる。例えば、エリア１→２→３とスライドさせることにより状態を変化させることが可能となる。また、位置情報を数字キー押下などの操作情報に変化させるだけでなくアプリの起動やページ送りなど様々な操作情報に変換することが可能である。これは、情報端末管理機構が操作情報に対してどのような処理を実行するかを変更することで実現可能である。
【００２３】
次に、異なる位置情報の連続入力によって操作判定機構の状態を遷移させることについて図８を用いて説明する。例えば、使用者が左上から右に指を動かした場合、情報端末管理機構３０６には右方向ボタンが押下されたように通知する場合について記述する。
【００２４】
指がエリア１に存在する間、操作判定機構３０５には位置情報（エリア１）が押下されていることが通知される（図８の８０１）。操作判定機構３０５は、エリア１が押下されたことが通知された場合には、一定期間、次の入力を監視する処理を開始する。一定期間内に、位置情報（エリア２）が通知された場合（図８の８０２）、操作判定機構３０５は、次の位置情報を監視するための処理を開始する。
【００２５】
監視期間の間に、同一エリアを示す位置情報が通知された場合には、同じエリアが押下され続けていると判断して監視期間を延長する。また、期待している位置情報（エリア２）以外の入力が通知された場合には、監視を停止してそこまでの入力を破棄、または最後に通知された位置情報を操作情報として情報端末管理機構３０６に通知などを行う。エリア１，エリア２、エリア３と位置情報が通知された場合には、操作判定機構３０５は、位置情報（エリア３）を操作情報（右方向）に変換して情報端末管理機構３０６に通知する。この変換は、エリア３の入力が続く限り継続される。
【００２６】
判定処理を追加することで、右方向ボタンへの変換だけでなく、他の操作情報に変換することも可能である。例えば、エリア１，エリア２、エリア１と位置情報が変化した場合には、戻るボタンを押下したように変換する判定を追加することも可能である。
【００２７】
なお、操作判定機構３０５は、一定期間内に、次の入力があるかどうかによって操作アクションが途絶えたどうかの判断を行う。そのため、入力情報が定期的に通知される限り入力の監視が継続されることになる。これを防止するために、操作判定機構３０５は、判定を開始してから、一定期間経過しても判定が終わらない場合には、判定処理を初期状態に戻すことで判定処理を停止させることもできる。
【００２８】
操作判定機構の状態として、カーソル入力から数字キー入力に変換する例を挙げたが、特定の状態にならない限り、情報端末管理機構に情報を通知しないことにより、情報端末管理機構に変更を加えることなく情報端末にセキュリティ機能を提供することができる。
【００２９】
また、従来のリモートコントローラでは、同一の情報端末を並べると全ての情報端末が反応してしまう問題があったが、情報端末ごとに特定の操作を行った後にのみ信号を受け付ける判定条件を付加することで、一つのリモートコントローラで対象の装置以外に影響を与えることなく操作をさせることが可能となる。
【００３０】
また、連続した入力情報を特定の操作情報に変更するだけでなく、複数の操作情報に変更することも可能である。これにより、情報端末管理機構としては、メニュー表示、数字キーで選択などを行う手順を操作判定機構でまとめて出力することができる。
【００３１】
実施形態では、構成として情報端末側に操作判定機構を適用した場合を例に挙げているが、図２に示したようにリモートコントローラ側に実装することも可能である。この場合、リモートコントローラで操作判定が完了するため操作バリエーションを増やすことにより、情報端末に多数のキーを持つリモートコントローラと同等の機能を提供できる。
【００３２】
また、実施形態では、使用者に対する状態通知を情報端末管理機構の表示機構を通じて行っているが、操作判定機構が直接表示機構へ状況を通知することも可能である（図７）。これにより、情報端末管理機構に処理を追加することなく操作判定機構の追加が可能となる。
【００３３】
本発明の効果について説明を行う。第１の効果は、リモートコントローラのキー数を減らすことができることである。実施形態では、長押しを例に挙げたが、判定基準に複数の入力情報の組み合わせを実現することが可能である。
【００３４】
第２の効果は、操作判定機構を追加することにより、少ないキーで複数の操作情報を情報端末に送信することが可能なため、情報端末管理機構を変更する必要がないことである。これは、情報端末管理機構への入力は、従来のリモートコントローラと同様の入力で実現できるためである。
【００３５】
第３の効果は、操作判定機構を追加しても、従来のリモートコントローラから操作可能となり、装置の切り替えを段階的に実施できる点である。操作判定機構にて、従来のリモートコントローラからの入力信号は、処理せず情報端末管理機構に伝え、本発明に適用した入力信号が通知された場合には判定を行うことで実現できる。
【００３６】
第４の効果は、従来のリモートコントローラを使用した場合でも、操作のバリエーションを追加できることである。操作判定機構が数字キーの押し順などで機能の切り替えを行うことで、キー数以上の操作が可能となる。
【産業上の利用可能性】
【００３７】
本発明では、表示機構として、図や文字を表示できるモニタを例に挙げているが、ＬＥＤなどの簡易的な表示に変更することも可能である（キーボードのＮｕｍ  Ｌｏｃｋを示すＬＥＤのような提示方法）。これにより、使用者への通知手段を持たない情報端末管理機構にも適用可能となる。
【符号の説明】
【００３８】
１００    リモートコントローラ
１０１    情報端末
１０２    入力機構
１０３    信号発信機構
１０４    信号受信機構
１０５    操作判定機構
１０６    情報端末管理機構
１０７    表示機構
２００    リモートコントローラ
２０１    情報端末
２０２    入力機構
２０３    信号発信機構
２０４    信号受信機構
２０５    操作判定機構
２０６    情報端末管理機構
２０７    表示機構
３００    リモートコントローラ
３０１    情報端末
３０２    スライドパッド
３０３    赤外線ポート
３０４    赤外線ポート
３０５    操作判定機構
３０６    情報端末管理機構
３０７    モニタ
３０８    入力待ち画面（１）
３０９    入力待ち画面（２）
【図１】
2011040810.tif 000003
【図２】
2011040810.tif 000004
【図３】
2011040810.tif 000005
【図４】
2011040810.tif 000006
【図５】
2011040810.tif 000007
【図６】
2011040810.tif 000008
【図７】
2011040810.tif 000009
【図８】
2011040810.tif 000010